(57)【要約】      （修正有）【課題】安全性に優れ、清掃やメンテナンスが容易であり、外観性も良好な香焚器具を提供する。【解決手段】香焚器具は、燃焼中の香焚材１１を保持するための耐火性の保持具１２と、保持具１２を載置するためのベース部材１３と、保持具１２及びベース部材１３の上面を覆った状態でベース部材１３に着脱可能に装着される耐火性のカバー部材１４と、を備えている。カバー部材１４は、排煙手段である煙突を有する建築物を模型化した外観を有するとともに、前記煙突に相当する部分に排煙口１５が開設され、建築物の出入口に相当する部分に、香焚材１１の燃焼に供される空気の給気口１６が開設されている。保持具１２を構成する円形トレー１２ａ、ベース部材１３及びカバー部材１４は金属製であり、トレー１２ａ内には不燃性のグラスウール１２ｂが敷設されている。【選択図】図２
0003159349.tif 000002
【実用新案登録請求の範囲】
【請求項１】
燃焼中の香焚材を保持するための耐火性の保持具と、前記保持具を載置するためのベース部材と、少なくとも前記保持具を覆った状態で前記ベース材に着脱可能に装着される耐火性のカバー部材と、を備え、
前記カバー部材が、排煙手段を有する建築物、暖房器具、機械器具若しくは輸送機器または火山を模型化した外観を有するとともに、前記排煙手段若しくは前記火山の火口に相当する部分に開設された排煙口と、前記香焚材の燃焼に供される空気の給気口と、を備えたことを特徴とする香焚器具。
【請求項２】
前記ベース部材及び前記カバー部材を、金属材、陶磁器、セラミックス材、ガラス材若しくは天然石材で形成したことを特徴とする請求項１記載の香焚器具。
【請求項３】
前記ベース部材に装着された前記カバー部材を着脱可能に係止するロック機構を設けた請求項１または２記載の香焚器具。
【考案の詳細な説明】
【技術分野】
【０００１】
本考案は、蚊取り線香、ハエ取り線香あるいは香木などの香焚材を焚く際に使用される香焚器具に関する。
【背景技術】
【０００２】
蚊取り線香を焚く際に使用される器具は、従来、様々な形状やデザインを有するものが提案されているが、本考案に関連する香焚器具として、例えば、特許文献１〜３に記載されたものがある。
【先行技術文献】
【特許文献】
【０００３】
【特許文献１】登録実用新案第３０５２４８０号公報
【特許文献２】特開２００６−２５７４２号公報
【特許文献３】登録実用新案第３１４８０３２号公報
【考案の概要】
【考案が解決しようとする課題】
【０００４】
特許文献１記載の「ミニ蚊とり器」及び特許文献２記載の「香燻体等取付用装飾具」は、蚊取り線香の装着が容易であり、その燃焼状態が外から見えるので蚊取り線香の残量が把握し易い等の点では優れているが、燃焼中の蚊取り線香に幼児などが触れて火傷するおそれがあり、燃焼後の灰が飛散し易いのも欠点である。
【０００５】
一方、特許文献３記載の「万能蚊取線香器」は、燃焼中の蚊取り線香が外部に露出しないので、安全性の点では優れているが、ファンモータや電池などを内蔵した複雑な構造であるため、煙の流動経路に付着する煙脂などの清掃やメンテナンスに多大な手間と時間を要する。
【０００６】
本考案が解決しようとする課題は、安全性に優れ、清掃やメンテナンスが容易であり、外観性も良好な香焚器具を提供することにある。
【課題を解決するための手段】
【０００７】
本考案の香焚器具は、燃焼中の香焚材を保持するための耐火性の保持具と、前記保持具を載置するためのベース部材と、少なくとも前記保持具を覆った状態で前記ベース材に着脱可能に装着される耐火性のカバー部材と、を備え、
前記カバー部材が、排煙手段を有する建築物、暖房器具、機械器具若しくは輸送機器または火山を模型化した外観を有するとともに、前記排煙手段若しくは前記火山の火口に相当する部分に開設された排煙口と、前記香焚材の燃焼に供される空気の給気口と、を備えたことを特徴とする。
【０００８】
このような構成とすれば、香焚材は、ベース部材上に載置された保持具に保持され且つ耐火性のカバー部材で覆われた状態で燃焼するので、外部から燃焼中の香焚材に誤って触れたり、灰が飛散したりすることがなくなり、安全性に優れている。また、本考案の香焚器具は、ベース部材、保持具及びカバー部材に分解可能であるため、清掃やメンテナンスが容易である。さらに、カバー部材は、排煙手段を有する建築物、暖房器具、機械器具若しくは輸送機器または火山を模型化した外観を有するとともに、実際に煙を連想する部分である、排煙手段若しくは火山の火口に相当する部分に開設された排煙口から香焚材の煙が出るので、視覚的な不自然さや違和感がなく、外観性も良好である。
【０００９】
ここで、前記ベース部材及び前記カバー部材を、金属材、セラミックス材、ガラス材若しくは天然石材で形成することが望ましい。このような構成とすれば、ベース部材及びカバー部材が不燃性材料で形成された状態となるので、耐火性が向上する。また、これらの材料は耐水性、耐油性を有しているため、洗剤を用いてベース部材及びカバー部材を水洗いすることも可能となり、清掃性も向上する。
【００１０】
一方、前記ベース部材に装着された前記カバー部材を着脱可能に係止するロック機構を設けることもできる。このような構成とすれば、ベース部材に装着されたカバー部材は、ロック機構を解除しない限り、取り外し不能となるので、幼児が悪戯してカバー部材を取り外すことを防止できるので、安全性の向上に有効である。
【考案の効果】
【００１１】
本考案により、安全性に優れ、清掃やメンテナンスが容易であり、外観性も良好な香焚器具を提供することができる。
【図面の簡単な説明】
【００１２】
【図１】本考案の第一実施形態である香焚器具を示す斜視図である。
【図２】図１に示す香焚器具の分解斜視図である。
【図３】図１に示す香焚器具の垂直断面図である。
【図４】本考案の第二実施形態である香焚器具を示す斜視図である。
【図５】図４に示す香焚器具の垂直断面図である。
【図６】本考案の第三実施形態である香焚器具を示す斜視図である。
【図７】図６に示す香焚器具の垂直断面図である。
【図８】本考案の第四実施形態である香焚器具を示す斜視図である。
【図９】図８に示す香焚器具の垂直断面図である。
【図１０】本考案の第五実施形態である香焚器具を示す斜視図である。
【図１１】図１０に示す香焚器具の垂直断面図である。
【図１２】本考案の第六実施形態である香焚器具を示す斜視図である。
【図１３】図１２に示す香焚器具の垂直断面図である。
【考案を実施するための形態】
【００１３】
以下、図１〜図１３を参照しながら、本考案の第一実施形態〜第六実施形態について説明する。
【００１４】
図１〜図３に示すように、第一実施形態の香焚器具１０は、燃焼中の香焚材１１を保持するための耐火性の保持具１２と、保持具１２を載置するためのベース部材１３と、保持具１２及びベース部材１３の上面を覆った状態でベース材１３に着脱可能に装着される耐火性のカバー部材１４と、を備えている。カバー部材１４は、排煙手段である煙突を有する建築物を模型化した外観を有するとともに、前記煙突に相当する部分に排煙口１５が開設され、建築物の出入口に相当する部分に、香焚材１１の燃焼に供される空気の給気口１６が開設されている。
【００１５】
ベース部材１３及びカバー部材１４は金属材で形成され、保持具１２は金属材で形成された円形トレー１２ａと、このトレー１２ａ内に敷設された不燃性のグラスウール１２ｂと、で構成されている。また、長方形板状のベース部材１３の周縁に沿って上方に突出したリブ１３ｃが設けられ、ベース部材１３の略中央部分及び外周寄りの部分にはそれぞれ磁石１３ａ，１３ｂが埋設されている。建築物を模型化した外観を有するカバー部材１４の窓に相当する部分には透光ガラス１４ａが嵌め込まれ、カバー部材１４の下方の周縁には磁石１４ｂが埋設されている。
【００１６】
図３に示すように、ベース部材１３上の中央部分に保持具１２を載置すると、保持具１２を構成する金属製のトレー１２ａが磁石１３ａに吸着してベース部材１３上に係止され、ベース部材１３上面及び保持具１２を覆うようにカバー部材１４を装着すると、ベース部材１３側の磁石１３ｂと、カバー部材１４側の磁石１４ｂとが互いに吸着して係止される。磁石１３ｂと磁石１４ｂとは、図１，図３に示す状態で、カバー部材１４のみを把持して持ち上げても離れない程度の吸着力を発揮するので、磁石１３ｂ，１４ｂは、カバー部材１４をベース部材１３に着脱可能に係止するロック機構としての役目を果たす。
【００１７】
図２に示すように、ベース部材１３上の中央部分に載置された保持具１２に燃焼中の香焚材１１をセットし、ベース部材１３上にカバー部材１４を装着すると、図１に示す香焚器具１０が形成される。保持具１２内の香焚材１１は、給気口１６から供給される空気によって燃焼するので、香焚材１１の燃焼に伴って発生する煙Ｓが建築物の煙突を模した排煙口１５から排出される。従って、香焚材１１が、例えば、蚊取り線香であれば、所定の殺虫効果を得ることができ、香木であれば、芳香漂う雰囲気を醸し出すことができる。
【００１８】
香焚器具１０の構成とすれば、香焚材１１は、ベース部材１３上に載置された保持具１２に保持され且つ耐火性のカバー部材１４で覆われた状態で燃焼するので、外部から燃焼中の香焚材１３に誤って触れたり、灰が飛散したりすることがなく、安全である。また、カバー部材１４内の保持具１２に保持された状態で燃焼する香焚材１１の様子は、カバー部材１４に嵌め込まれた透光ガラス１４ａを通して目視することができるので、香焚材１１が燃え尽きたり、立ち消えしたりしているのを発見することができる。
【００１９】
香焚器具１０を構成するカバー部材１４は、排煙手段を有する建築物を模型化した外観を有するとともに、見たときに煙を連想する部分である煙突に開設された排煙口１５から香焚材１１の煙Ｓが立ち上るので、視覚的に自然で違和感がなく、外観性も良好である。また、香焚器具１０は、ベース部材１３、保持具１２及びカバー部材１４に分解可能であるため、清掃やメンテナンスも容易である。
【００２０】
なお、カバー部材１４は、磁石１３ｂ，１４ｂを用いたロック機構により、ベース部材１３に着脱可能に係止され、大人が強い力を加えてロック機構を解除しない限り、取り外し不能である。このため、幼児が悪戯してカバー部材１４を取り外すようなことを防止することができ、安全性に優れている。また、香焚器具１０においては、ベース部材１３及びカバー部材１４などを金属材で形成しているが、これに限定しないので、陶磁器、セラミックス材、ガラス材若しくは天然石材などの不燃性物質で形成することもできる。
【００２１】
次に、図４，図５に示す香焚器具２０は、燃焼中の香焚材１１を保持するための耐火性の保持具１２と、保持具１２を載置するためのベース部材２３と、保持具１２及びベース部材２３の上面を覆った状態でベース材２３に着脱可能に装着される耐火性のカバー部材２４と、を備えている。カバー部材２４は、排煙手段である排気口を有する合掌造りの建築物を模型化した外観を有するとともに、前記排気口に相当する部分に複数の排煙口２５が開設され、建築物の出入口に相当する部分に、香焚材１１の燃焼に供される空気の給気口２６が開設されている。
【００２２】
香焚器具２０においては、カバー部材２４に複数の排煙口２５が開設されているため、燃焼中の香焚材１１から発生する煙Ｓを効率良く周囲に放出することができる。その他の部分の構造、機能などは、前述した香焚器具１０と同様である。
【００２３】
次に、図６，図７に示す香焚器具３０は、燃焼中の香焚材１１を保持するための耐火性の保持具１２と、保持具１２を載置するためのベース部材３３と、保持具１２及びベース部材３３の上面を覆った状態でベース材３３に着脱可能に装着される耐火性のカバー部材３４と、を備えている。ベース部材３３の周縁に沿って上方へ突出するリブ３３ａが形成されている。カバー部材３４は、排煙手段である煙突を有する円形ドーム状の建築物を模型化した外観を有するとともに、前記煙突に相当する部分に排煙口３５が開設され、建築物の出入口に相当する部分に、香焚材１１の燃焼に供される空気の給気口３６が開設されている。
【００２４】
香焚器具３０においては、ベース部材３３が略円板形状であって、カバー部材３４は円形ドーム形状であり、尖った部分が少ないので、人や物などが触れたときに損傷を受け難く、安全性に優れている。その他の部分の構造、機能などは、前述した香焚器具１０と同様である。
【００２５】
次に、図８，図９に示す香焚器具４０は、燃焼中の香焚材１１を保持するための耐火性の保持具１２と、保持具１２を載置するためのベース部材４３と、保持具１２及びベース部材４３の上面を覆った状態でベース材４３に着脱可能に装着される耐火性のカバー部材４４と、を備えている。カバー部材４４は、排煙手段である煙突を有する輸送機器である蒸気機関車がターンテーブルに載った状態を模型化した外観を有するとともに、前記煙突に相当する部分に排煙口４５が開設され、ターンテーブルの外周に相当する部分に、香焚材１１の燃焼に供される空気の給気口４６が開設されている。
【００２６】
次に、図１０，図１１に示す香焚器具５０は、燃焼中の香焚材１１を保持するための耐火性の保持具１２と、保持具１２を載置するためのベース部材５３と、保持具１２及びベース部材５３の上面を覆った状態でベース材５３に着脱可能に装着される耐火性のカバー部材５４と、を備えている。カバー部材５４は、排煙手段である煙突を有する輸送機器である蒸気機関車を模型化した外観を有するとともに、前記煙突に相当する部分に排煙口５５が開設され、蒸気機関車の後部に相当する部分に、香焚材１１の燃焼に供される空気の給気口５６が開設されている。
【００２７】
図８，図９に示す香焚器具４０を構成するカバー部材４４及び図１０，図１１に示す香焚器具５０を構成するカバー部材５４はいずれも蒸気機関車を模型化した外観であり、それぞれの煙突に相当する部分にある排煙口４５，５５から香焚材１１の煙Ｓが立ち上るので、独特の風情を醸し出すことができる。その他の部分の構造、機能などは、前述した香焚器具１０と同様である。
【００２８】
次に、図１２，図１３に示す香焚器具６０は、燃焼中の香焚材１１を保持するための耐火性の保持具１２と、保持具１２を載置するための略円板形状のベース部材６３と、ベース部材６３の上面及び保持具１２を覆った状態でベース材６３に着脱可能に装着される耐火性のカバー部材６４と、を備えている。カバー部材６４は、火山を模型化した外観を有するとともに、火山の火口に相当する部分に排煙口６５が開設され、火山の山腹に相当する部分に香焚材１１の燃焼に供される空気の給気口６６が開設されている。また、ベース材６３の上面には、カバー部材６４下方の周縁部に内接するリブ６３ａが上方へ突設されている。
【００２９】
図１２，図１３に示す香焚器具６０を構成するカバー部材６４は、火山を模型化した外観を有するとともに、火口に相当する部分に開設された排煙口６５から香焚材１１の煙Ｓが立ち上るので、恰も、活火山を遠くから眺めているような雰囲気を醸し出すことができる。その他の部分の構造、機能などは、前述した香焚器具１０と同様である。
【産業上の利用可能性】
【００３０】
本考案の香焚器具は、蚊取り線香、ハエ取り線香あるいは香木などの香焚材を焚く際の器具として、一般住宅や公共施設などにおいて広く利用することができる。
【符号の説明】
【００３１】
１０，２０，３０，４０，５０，６０  香焚器具
１１  香焚材
１２  保持具
１２ａ  円形トレー
１２ｂ  グラスウール
１３  ベース部材
１３ａ，１３ｂ，１４ｂ  磁石
１３ｃ，３３ａ，６３ａ  リブ
１４，２４，３４，４４，５４，６４  カバー部材
１５，２５，３５，４５，５５，６５  排煙口
１６，２６，３６，４６，５６，６６  給気口
【図１】
0003159349.tif 000003
【図２】
0003159349.tif 000004
【図３】
0003159349.tif 000005
【図４】
0003159349.tif 000006
【図５】
0003159349.tif 000007
【図６】
0003159349.tif 000008
【図７】
0003159349.tif 000009
【図８】
0003159349.tif 000010
【図９】
0003159349.tif 000011
【図１０】
0003159349.tif 000012
【図１１】
0003159349.tif 000013
【図１２】
0003159349.tif 000014
【図１３】
0003159349.tif 000015
【手続補正書】
【提出日】平成22年3月4日(2010.3.4)
【手続補正１】
【補正対象書類名】実用新案登録請求の範囲
【補正対象項目名】全文
【補正方法】変更
【補正の内容】
【実用新案登録請求の範囲】
【請求項１】
燃焼中の香焚材を保持するための耐火性の保持具と、前記保持具を載置するためのベース部材と、少なくとも前記保持具を覆った状態で前記ベース部材に着脱可能に装着される耐火性のカバー部材と、を備え、
前記カバー部材が、排煙手段を有する建築物、暖房器具、機械器具若しくは輸送機器または火山を模型化した外観を有するとともに、前記排煙手段若しくは前記火山の火口に相当する部分に開設された排煙口と、前記香焚材の燃焼に供される空気の給気口と、を備えたことを特徴とする香焚器具。
【請求項２】
前記ベース部材及び前記カバー部材を、金属材、陶磁器、セラミックス材、ガラス材若しくは天然石材で形成したことを特徴とする請求項１記載の香焚器具。
【請求項３】
前記ベース部材に装着された前記カバー部材を着脱可能に係止するロック機構を設けた請求項１または２記載の香焚器具。
【手続補正２】
【補正対象書類名】明細書
【補正対象項目名】０００７
【補正方法】変更
【補正の内容】
【０００７】
本考案の香焚器具は、燃焼中の香焚材を保持するための耐火性の保持具と、前記保持具を載置するためのベース部材と、少なくとも前記保持具を覆った状態で前記ベース部材に着脱可能に装着される耐火性のカバー部材と、を備え、
前記カバー部材が、排煙手段を有する建築物、暖房器具、機械器具若しくは輸送機器または火山を模型化した外観を有するとともに、前記排煙手段若しくは前記火山の火口に相当する部分に開設された排煙口と、前記香焚材の燃焼に供される空気の給気口と、を備えたことを特徴とする。
【手続補正３】
【補正対象書類名】明細書
【補正対象項目名】００１４
【補正方法】変更
【補正の内容】
【００１４】
図１〜図３に示すように、第一実施形態の香焚器具１０は、燃焼中の香焚材１１を保持するための耐火性の保持具１２と、保持具１２を載置するためのベース部材１３と、保持具１２及びベース部材１３の上面を覆った状態でベース部材１３に着脱可能に装着される耐火性のカバー部材１４と、を備えている。カバー部材１４は、排煙手段である煙突を有する建築物を模型化した外観を有するとともに、前記煙突に相当する部分に排煙口１５が開設され、建築物の出入口に相当する部分に、香焚材１１の燃焼に供される空気の給気口１６が開設されている。
【手続補正４】
【補正対象書類名】明細書
【補正対象項目名】００２１
【補正方法】変更
【補正の内容】
【００２１】
次に、図４，図５に示す香焚器具２０は、燃焼中の香焚材１１を保持するための耐火性の保持具１２と、保持具１２を載置するためのベース部材２３と、保持具１２及びベース部材２３の上面を覆った状態でベース部材２３に着脱可能に装着される耐火性のカバー部材２４と、を備えている。カバー部材２４は、排煙手段である排気口を有する合掌造りの建築物を模型化した外観を有するとともに、前記排気口に相当する部分に複数の排煙口２５が開設され、建築物の出入口に相当する部分に、香焚材１１の燃焼に供される空気の給気口２６が開設されている。
【手続補正５】
【補正対象書類名】明細書
【補正対象項目名】００２３
【補正方法】変更
【補正の内容】
【００２３】
次に、図６，図７に示す香焚器具３０は、燃焼中の香焚材１１を保持するための耐火性の保持具１２と、保持具１２を載置するためのベース部材３３と、保持具１２及びベース部材３３の上面を覆った状態でベース部材３３に着脱可能に装着される耐火性のカバー部材３４と、を備えている。ベース部材３３の周縁に沿って上方へ突出するリブ３３ａが形成されている。カバー部材３４は、排煙手段である煙突を有する円形ドーム状の建築物を模型化した外観を有するとともに、前記煙突に相当する部分に排煙口３５が開設され、建築物の出入口に相当する部分に、香焚材１１の燃焼に供される空気の給気口３６が開設されている。
【手続補正６】
【補正対象書類名】明細書
【補正対象項目名】００２５
【補正方法】変更
【補正の内容】
【００２５】
次に、図８，図９に示す香焚器具４０は、燃焼中の香焚材１１を保持するための耐火性の保持具１２と、保持具１２を載置するためのベース部材４３と、保持具１２及びベース部材４３の上面を覆った状態でベース部材４３に着脱可能に装着される耐火性のカバー部材４４と、を備えている。カバー部材４４は、排煙手段である煙突を有する輸送機器である蒸気機関車がターンテーブルに載った状態を模型化した外観を有するとともに、前記煙突に相当する部分に排煙口４５が開設され、ターンテーブルの外周に相当する部分に、香焚材１１の燃焼に供される空気の給気口４６が開設されている。
【手続補正７】
【補正対象書類名】明細書
【補正対象項目名】００２６
【補正方法】変更
【補正の内容】
【００２６】
次に、図１０，図１１に示す香焚器具５０は、燃焼中の香焚材１１を保持するための耐火性の保持具１２と、保持具１２を載置するためのベース部材５３と、保持具１２及びベース部材５３の上面を覆った状態でベース部材５３に着脱可能に装着される耐火性のカバー部材５４と、を備えている。カバー部材５４は、排煙手段である煙突を有する輸送機器である蒸気機関車を模型化した外観を有するとともに、前記煙突に相当する部分に排煙口５５が開設され、蒸気機関車の後部に相当する部分に、香焚材１１の燃焼に供される空気の給気口５６が開設されている。
【手続補正８】
【補正対象書類名】明細書
【補正対象項目名】００２８
【補正方法】変更
【補正の内容】
【００２８】
次に、図１２，図１３に示す香焚器具６０は、燃焼中の香焚材１１を保持するための耐火性の保持具１２と、保持具１２を載置するための略円板形状のベース部材６３と、ベース部材６３の上面及び保持具１２を覆った状態でベース部材６３に着脱可能に装着される耐火性のカバー部材６４と、を備えている。カバー部材６４は、火山を模型化した外観を有するとともに、火山の火口に相当する部分に排煙口６５が開設され、火山の山腹に相当する部分に香焚材１１の燃焼に供される空気の給気口６６が開設されている。また、ベース部材６３の上面には、カバー部材６４下方の周縁部に内接するリブ６３ａが上方へ突設されている。